(57)【要約】【課題】  本発明は、被掃除面に分散されている髪の毛や動物の毛のような汚物を容易に除去して掃除効率を極大化させることができる吸引ブラシアセンブリを提供する。【解決手段】  本発明の吸引ブラシアセンブリは、被掃除面の汚物が流入される埃流入チャネルと、埃流入チャネルから汚物が吸引される吸引口が備えられた吸引ブラシケーシングと、吸引ブラシケーシングに回転自在でありながら相互反対方向に回転するよう吸引ブラシケーシングの底面にそれぞれ設けられる第１及び第２回転板と、第１及び第２回転板を回転させるように動力源を提供する回転動力源と、回転動力源の回転力を第１及び第２回転板に伝達する動力伝達手段と、被掃除面に分散された髪の毛や動物の毛を集めて埃流入チャネルに誘導し吸引口に容易に誘導されるように第１及び第２回転板に形成される汚物誘導部材と、を含む。【選択図】図２
2008178661.tif 000002
【特許請求の範囲】
【請求項１】
被掃除面の汚物が流入される埃流入チャネルと、前記埃流入チャネルから汚物が吸引される吸引口が備えられた吸引ブラシケーシングと、
前記吸引ブラシケーシングに回転自在でありながら相互反対方向に回転するよう前記吸引ブラシケーシングの底面にそれぞれ設けられる第１及び第２回転板と、
前記第１及び第２回転板を回転させるように動力源を提供する回転動力源と、
前記回転動力源の回転力を前記第１及び第２回転板に伝達する動力伝達手段と、
被掃除面に分散された髪の毛や動物の毛を集めて前記埃流入チャネルに誘導し前記吸引口に容易に誘導されるように前記第１及び第２回転板に形成される汚物誘導部材と、
を含むことを特徴とする吸引ブラシアセンブリ。
【請求項２】
前記汚物誘導部材は、前記第１回転板及び第２回転板の中心から拡散される螺旋状に沿って間隔を隔てて複数の突出リブがそれぞれ設けられるものであり、
前記第１回転板が回転される方向と前記突出リブが第１回転板の中心から螺旋状に拡散されて設けられる方向とは相互反対であり、
前記第２回転板が回転される方向と前記突出リブが第２回転板の中心から螺旋状に拡散されて設けられる方向とは相互反対であることを特徴とする請求項１に記載の吸引ブラシアセンブリ。
【請求項３】
前記埃流入チャネルは、前記吸引ブラシケーシングの長手方向に沿って前方に形成されることを特徴とする請求項２に記載の吸引ブラシアセンブリ。
【請求項４】
前記埃流入チャネルは、前記吸引ケーシングの底面に設けられた前記第１及び第２回転板の前方一部を覆う形で形成されることを特徴とする請求項２に記載の吸引ブラシアセンブリ。
【請求項５】
前記汚物誘導部材は、前記第１回転板及び第２回転板の中心から拡散される螺旋状に沿って間隔を隔てて設けられ、先端が突出した棒状に形成される複数の棒部材が設けられるものであり、
前記第１回転板が回転される方向と前記棒部材が第１回転板の中心から螺旋状に拡散されて設けられる方向とは相互反対であり、
前記第２回転板が回転される方向と前記棒部材が第２回転板の中心から螺旋状に拡散されて設けられる方向とは相互反対であることを特徴とする請求項１に記載の吸引ブラシアセンブリ。
【請求項６】
前記汚物誘導部材は、前記第１回転板及び第２回転板の中心から拡散される螺旋状に沿って間隔を隔てて設けられ、環状の複数のループ部材がそれぞれ設けられるものであり、
前記第１回転板が回転される方向と前記ループ部材が第１回転板の中心から螺旋状に拡散されて設けられる方向とは相互反対であり、
前記第２回転板が回転される方向と前記ループ部材が第２回転板の中心から螺旋状に拡散されて設けられる方向とは相互反対であることを特徴とする請求項１に記載の吸引ブラシアセンブリ。
【請求項７】
前記汚物誘導部材は、前記第１回転板及び第２回転板の中心から拡散される螺旋状に沿って毛がそれぞれ設けられるものであり、
前記第１回転板が回転される方向と前記毛が第１回転板の中心から螺旋状に拡散されて設けられる方向とは相互反対であり、
前記第２回転板が回転される方向と前記毛が第２回転板の中心から螺旋状に拡散されて設けられる方向とは相互反対であることを特徴とする請求項１に記載の吸引ブラシアセンブリ。
【請求項８】
前記汚物誘導部材は、ゴムからなっていることを特徴とする請求項１ないし請求項７のうちいずれか１項に記載の吸引ブラシアセンブリ。
【発明の詳細な説明】
【技術分野】
【０００１】
本発明は吸引ブラシアセンブリに関し、より詳細には被掃除面に分散された髪の毛や汚物を効率的に除去するための吸引ブラシアセンブリに関する。
【背景技術】
【０００２】
一般に、吸引ブラシアセンブリは、アップライト型やキャニスター型の真空掃除機に使われるもので、一般の真空掃除機は吸引ブラシアセンブリを被掃除面に接触した状態で吸引ブラシアセンブリに形成された吸引口を通じて被掃除面の汚物を含んだ空気を吸引し、真空掃除機の本体に流入させた後、真空掃除機の本体に内蔵された集塵装置を用いて汚物を分離して外部へ浄化された空気を排出することにより、掃除動作を行なう。
【０００３】
ところが、このような吸引ブラシアセンブリは、被掃除面に分散されている動物の毛や髪の毛を効率的に吸引するには限界があり、特に被掃除面がカーペットの場合、カーペットに分散され絡み合っている動物の毛や髪の毛を効率的に吸引するには更に限界があった。
【特許文献１】韓国公開特許第１０−２００１−０５７７８８号公報
【特許文献２】韓国登録特許第１０−６６７８８５号公報
【発明の開示】
【発明が解決しようとする課題】
【０００４】
本発明は前述の問題点を解決するために提出されたもので、本発明の目的は、被掃除面に分散されている髪の毛や動物の毛のような汚物を容易に除去して掃除効率を極大化させることができる吸引ブラシアセンブリを提供することにある。
【課題を解決するための手段】
【０００５】
前述の目的を達成するための本発明の吸引ブラシアセンブリは、被掃除面の汚物が流入される埃流入チャネルと、前記埃流入チャネルから汚物が吸引される吸引口が備えられた吸引ブラシケーシングと、前記吸引ブラシケーシングに回転自在でありながら相互反対方向に回転するよう前記吸引ブラシケーシングの底面にそれぞれ設けられる第１及び第２回転板と、前記第１及び第２回転板を回転させるように動力源を提供する回転動力源と、前記回転動力源の回転力を前記第１及び第２回転板に伝達する動力伝達手段と、被掃除面に分散された髪の毛や動物の毛を集めて前記埃流入チャネルに誘導し前記吸引口に容易に誘導されるように前記第１及び第２回転板に形成される汚物誘導部材と、を含むことを特徴とする。
【０００６】
また、前記汚物誘導部材は、前記第１回転板及び第２回転板の中心から拡散される螺旋状に沿って間隔を隔てて複数の突出リブがそれぞれ設けられるものであり、前記第１回転板が回転される方向と前記突出リブが第１回転板の中心から螺旋状に拡散されて設けられる方向とは相互反対であり、前記第２回転板が回転される方向と前記突出リブが第２回転板の中心から螺旋状に拡散されて設けられる方向とは相互反対であることが好ましい。
【０００７】
また、前記埃流入チャネルは、前記吸引ブラシケーシングの長手方向に沿って前方に形成されることが好ましい。
【０００８】
また、前記埃流入チャネルは、前記吸引ケーシングの底面に設けられた前記第１及び第２回転板の前方一部を覆う形で形成されることが好ましい。
【０００９】
また、前記汚物誘導部材は、前記第１回転板及び第２回転板の中心から拡散される螺旋状に沿って間隔を隔てて設けられ、先端が突出した棒状に形成される複数の棒部材が設けられるものであり、前記第１回転板が回転される方向と前記棒部材が第１回転板の中心から螺旋状に拡散されて設けられる方向とは相互反対であり、前記第２回転板が回転される方向と前記棒部材が第２回転板の中心から螺旋状に拡散されて設けられる方向とは相互反対であることが好ましい。
【００１０】
また、前記汚物誘導部材は、前記第１回転板及び第２回転板の中心から拡散される螺旋状に沿って間隔を隔てて設けられ、環状の複数のループ部材がそれぞれ設けられるものであり、前記第１回転板が回転される方向と前記ループ部材が第１回転板の中心から螺旋状に拡散されて設けられる方向とは相互反対であり、前記第２回転板が回転される方向と前記ループ部材が第２回転板の中心から螺旋状に拡散されて設けられる方向とは相互反対であることが好ましい。
【００１１】
また、前記汚物誘導部材は、前記第１回転板及び第２回転板の中心から拡散される螺旋状に沿って毛がそれぞれ設けられるものであり、前記第１回転板が回転される方向と前記毛が第１回転板の中心から螺旋状に拡散されて設けられる方向とは相互反対であり、前記第２回転板が回転される方向と前記毛が第２回転板の中心から螺旋状に拡散されて設けられる方向とは相互反対であることが好ましい。
また、前記汚物誘導部材は、ゴムからなっていることが好ましい。
【発明の効果】
【００１２】
本発明によると、被掃除面に分散されている髪の毛や動物の毛を汚物誘導部材により集めて埃流入チャネル１１５、２１５側に誘導した後、吸引口１１６に流入させることができるので、より容易に髪の毛や動物の毛を除去することが可能となり、掃除効率を向上させることができる。
【発明を実施するための最良の形態】
【００１３】
以下、添付の図面に基づいて本発明の好適な実施形態を詳説する。
【００１４】
図１ないし図３に基づいて、本発明の一実施形態に係る吸引ブラシアセンブリ１００について説明する。
【００１５】
本実施形態に係る吸引ブラシアセンブリ１００は、被掃除面の埃と被掃除面に分散された髪の毛や動物の毛（以下、汚物と記す）を集めて吸引するためのもので、吸引ブラシアセンブリ１００の後流側は、一般掃除機の延長流路（図示せず）を介して真空モータ（図示せず）及び集塵装置（図示せず）が内蔵されている真空掃除機の本体（図示せず）に接続される。一方、本実施形態においては、キャニスター型に使われる吸引ブラシアセンブリ１００について説明したが、アップライト型の真空掃除機に使われることも勿論可能である。
【００１６】
図１ないし図３に示すように、本実施形態に係る吸引ブラシアセンブリ１００は、吸引ブラシケーシング１１０、タービンファン１３０、第１回転板１５０、第２回転板１７０、動力伝達手段１９０を含む。
【００１７】
吸引ブラシケーシング１１０の後方には真空掃除機の延長流路（図示せず）と接続するための延長管コネクタ１２０が形成されており、吸引ブラシケーシング１１０の前方には吸引ケーシングの底面と段差を付けて長手方向に正方形の埃流入チャネル１１５が形成され、前記埃流入チャネル１１５の後側には前記埃流入チャネルに流入された汚物が吸引される吸引口１１６（図３参照）が形成される。この場合、埃流入チャネル１１５を介して流入された汚物は、吸引口１１６を介して吸引ブラシケーシング１１０の内部を通じてコネクタ１２０に移動された後、延長流路（図示せず）に流入される。
【００１８】
タービンファン１３０は第１回転板１５０及び第２回転板１７０を回転させるために回転力を提供するための回転動力源として用いられ、このために吸引ブラシケーシング１１０の後方に回転自在に設けられる。また、タービンファン１３０は複数のタービンブレード１３０ａが形成されており、吸引口１１６から吸引される空気が前記タービンブレード１３０ａにぶつかってタービンファン１３０が回転するようになる。
【００１９】
第１回転板１５０及び第２回転板１７０は吸引ブラシケーシング１１０の後側底部に回転自在に設けられ、被掃除面に分散された髪の毛や動物の毛を集めて吸引口１１６に容易に誘導するためのものである。
【００２０】
図２及び図５に示すように、本実施形態に係る第１回転板１５０及び第２回転板１７０には、被掃除面に分散された髪の毛や動物の毛を集めて吸引口１１６に容易に誘導するように汚物誘導部材が設けられる。本実施形態における汚物誘導部材は、所定の厚さを有する複数の突出リブ１５２ａ、１７２ａが形成される。また、本実施形態における突出リブ１５２ａ、１７２ａはその材質がゴムから構成されている。複数の突出リブ１５２ａ、１７２ａは底面にある動物の毛や髪の毛を集めるために、第１回転板１５０及び第２回転板１７０の中心から拡散される螺旋状になるように螺旋形に沿って一定間隔を隔てて複数が配置されるように形成される。すなわち、突出リブ１５２ａ，１７２ａは、第１回転板１５０及び第２回転板１７０の下面に渦巻状のように形成される。このとき、第１回転板１５０及び第２回転板１７０は、相互反対方向の螺旋状に形成されるべきであり、図２に示すように、第１回転板１５０に形成された突出リブ１５２ａは第１回転板１５０の中心から時計方向に拡散される螺旋状に形成されるべきであり、第２回転板１７０に形成された突出リブ１７２ａは第２回転板１７０の中心から反時計方向に拡散される螺旋状に形成されるべきである。
【００２１】
一方、本実施形態における汚物誘導部材は、突出リブ１５２ａ、１７２ａが図５に示すように所定厚さを有するように設けられているものとしているが、図６に示すように、汚物誘導部材が本実施形態の突出リブ１５２ａと同一の厚さになるように何枚か重ねて形成された突出リブ１５２ｂが本実施形態の突出リブ１５２ａと一定間隔を隔てて交互に螺旋状をなして形成されることが可能である。
【００２２】
また、本実施形態においては、被掃除面に分散された髪の毛や動物の毛を集めて吸引口１１６側に誘導するために、汚物誘導部材は第１及び第２回転板１５０、１７０にリブ形状の突出リブ１５２ａ、１７２ａが螺旋状に形成されているものとしているが、図７に示すように、第１回転板１５０に先端が突出した円錐形状を有する複数の棒部材１５２ｃが第１回転板１５０の中心から時計方向に拡散される螺旋状に形成されても良く、このとき、第２回転板１７０には第１回転板１５０に形成された棒部材１５２ｃと反対方向の螺旋状に棒部材が形成される。このとき、棒部材は、本実施形態の突出リブ１５２ａ、１７２ａに比べより深い所にある動物の毛や髪の毛を集める機能を行う。
【００２３】
また、図８に示すように、第１回転板１５０に環状の複数のループ部材１５２ｄが第１回転板１５０の中心から時計方向に拡散される螺旋状に形成されても良く、このとき、第２回転板１７０には第１回転板１５０に形成されたループ部材１５２ｄと反対方向の螺旋状にループ部材が形成される。
【００２４】
また、本実施形態においては、被掃除面に分散された髪の毛や動物の毛を集めて埃流入チャネル１１５側に押し出すために第１及び第２回転板１５０、１７０にゴムから形成された突出リブ１５２ａ、１７２ａが螺旋状に形成されているものとしているが、図９に示すように、第１回転板１５０に複数の毛１５２ｅが第１回転板１５０の中心から拡散される螺旋状に植毛されても良く、このとき、第２回転板１７０には第１回転板１５０に形成された毛１５２ｅとは反対方向の螺旋状に毛が形成される。このとき、毛１５２ｅは多様な種類の毛が使われ得ることは言うまでもない。
【００２５】
動力伝達手段１９０は、タービンファン１３０によって発生された動力を第１回転板１５０及び第２回転板１７０に伝達するためのもので、第１及び第２回転軸１５５、１７５、ウォーム１３７、ウォームホイール１５７、１７７を含む。
【００２６】
第１回転軸１５５（図３参照）は第１回転板１５０の中心に固定設置され、第１回転軸１５５（図３参照）は吸引ブラシケーシング１１０の内部一側に挿入され回転自在に設けられる。第２回転軸１７５（図３参照）は第２回転板１７０の中心に固定設置され、第２回転軸１７５（図３参照）は吸引ブラシケーシング１１０の内部他側に挿入され回転自在に設けられる。ウォーム１３７は、タービンファン１３０の同軸上で左右に延長されるように形成される。ウォームホイール１５７、１７７は、前記ウォーム１３７に対応されるように第１回転軸１５５及び第２回転軸１７５の上部に形成される。しかし、本実施形態とは異なる様々な手段によりタービンファン１３０から第１回転板１５０及び第２回転板１７０に動力を伝達することができる。また、本実施形態においては、タービンファン１３０を設けて吸引される空気から動力を発生させたが、タービンファン１３０の代わりに別のモータを用いて第１回転板１５０及び第２回転板１７０に回転動力源を提供しても良い。
【００２７】
一方、本実施形態に係る吸引ブラシアセンブリ１００は、埃流入チャネル１１５が吸引ブラシケーシング１１０の底面の前方に長手方向に形成されているが、図４に示すように、埃流入チャネル２１５が第１回転板１５０及び第２回転板１７０の前方一部を覆うように形成されても良い。この場合、第１及び第２回転板１５０、１７０の回転によって集められた動物の毛や髪の毛が埃流入チャネル２１５に流入しやすくなり、吸引口１１６に吸引される汚物の流入量が増加し、掃除効率を増大させることができる。
【００２８】
また、本実施形態においては、第１回転板１５０が反時計方向に回転し第１回転板に形成された突出リブ１５２ａは第１回転板１５０の中心から時計方向に拡散される螺旋状に形成されており、第２回転板１７０が時計方向に回転し第２回転板に形成された突出リブ１７２ａは第２回転板１７０の中心から反時計方向に拡散される螺旋状に形成されているが、第１回転板１５０が時計方向に回転し第２回転板１７０が反時計方向に回転される場合、第１回転板１５０に形成された突出リブは第１回転板１５０の中心から反時計方向に拡散される螺旋状に形成され、第２回転板１７０に形成された突出リブは第２回転板１７０の中心から時計方向に拡散される螺旋状に形成されることも可能である。
【００２９】
以下、本発明の一実施形態に係る吸引ブラシアセンブリ１００の動作及び作用を説明する。
【００３０】
真空掃除機の本体（図示せず）に内蔵された吸引モータ（図示せず）が作動すると、埃流入チャネル１１５及び吸引口１１６に吸引力が形成され被掃除面の汚物を含む外気を吸引し、吸引された外気はタービンファン１３０に形成されたタービンブレード１３０ａにぶつかってタービンファン１３０を回転させる。タービンファン１３０が回転すると、タービンファン１３０と同軸上に形成されたウォーム１３７が回転し、このウォーム１３７はウォームホイール１５７、１７７に動力を伝達する。ウォームホイール１５７、１７７に伝達された動力はウォームホイール１５７、１７７とそれぞれ一体に形成された第１回転軸１５５及び第２回転軸１７５を回転させ、これにより、第１回転軸１５５及び第２回転軸１７５に固定された第１回転板１５０及び第２回転板１７０がそれぞれ回転される。
【００３１】
この場合、図２に示すように、第１回転板１５０はＡ方向、すなわち反時計方向に回転し、第２回転板１７０はＢ方向、すなわち時計方向に回転する。このように第１及び第２回転板１５０、１７０が回転すると、第１及び第２回転板１５０、１７０に形成された突出リブ１５２ａ、１７２ａは被掃除面（カーペット）に分散された髪の毛や動物の毛を集めて底面と分離させる。このとき、第１回転板１５０の突出リブ１５２ａは第１回転板１５０の中心から時計方向に拡散される螺旋状に形成され、第１回転板１５０は反時計方向に回転するので、第１回転板が反時計方向に回転すると、突出リブ１５２ａは底面の汚物を集め、第１回転板１５０によって覆われている底面から分離された汚物は、遠心力により突出リブ１５２ａの外側面１５２ａａに沿って第１回転板１５０の外側に抜けようとする力が生じる。その後、第１回転板１５０の外側に押し出された汚物は吸引ブラシケーシング１１０の前方に形成された埃流入チャネル１１５に流入された後、吸引口１１６を介して延長流路（図示せず）を通して掃除機の本体（図示せず）にある集塵装置（図示せず）に流入される。
【００３２】
また、第２回転板１７０の突出リブ１７２ａは第２回転板１７０の中心から反時計方向に拡散される螺旋状に形成され、第２回転板１７０は時計方向に回転するので、第２回転板が時計方向に回転すると、突出リブ１７２ａは底面の汚物を集め、第２回転板１７０によって覆われている底面から分離された汚物は、遠心力により突出リブ１７２ａの外側面１７２ａａに沿って第２回転板１７０の外側に抜けようとする力が生じる。その後、第２回転板１７０の外側に押し出された汚物は吸引ブラシケーシング１１０の前方に形成された埃流入チャネル１１５に流入された後、吸引口１１６を介して延長流路（図示せず）を通して掃除機の本体（図示せず）にある集塵装置（図示せず）に流入される。
【００３３】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００３４】
【図１】本発明の一実施形態に係る吸引ブラシアセンブリを示す図である。
【図２】図１の吸引ブラシアセンブリを底面視した図である。
【図３】図１の吸引ブラシケーシングの上側一部を切開して吸引ブラシケーシングの内部を示した図である。
【図４】図１の一実施形態とは異なる形状の吸引口を示す図である。
【図５】図２の第１回転板を示す図である。
【図６】図１の実施形態とは異なる形態の第１回転板を示す図である。
【図７】図１の一実施形態とは異なるもう一つの形態の第１回転板を示す図である。
【図８】図１の一実施形態とは異なるもう一つの形態の第１回転板を示す図である。
【図９】図１の一実施形態とは異なるもう一つの形態の第１回転板を示す図である。
【符号の説明】
【００３５】
１００      吸引ブラシアセンブリ
１１０      吸引ブラシケーシング
１１５      埃流入チャネル
１１６      吸引口
１３０      タービンファン
１５０      第１回転板
１５２ａ    突出リブ
１７０      第２回転板
１７２ａ    突出リブ
【図１】
2008178661.tif 000003
【図２】
2008178661.tif 000004
【図３】
2008178661.tif 000005
【図４】
2008178661.tif 000006
【図５】
2008178661.tif 000007
【図６】
2008178661.tif 000008
【図７】
2008178661.tif 000009
【図８】
2008178661.tif 000010
【図９】
2008178661.tif 000011